(57)【要約】      （修正有）【課題】液晶テレビの狭い枠の設計要求を達成するバックライトモジュールを提供する。【解決手段】外フレーム１１０と、放熱シート１２０と、ゴムフレーム１３０と、導光板１４０と、背板１６０と、光源１５０とを含む。外フレームは、側壁１１２を含む。放熱シートは、外フレーム内に配置され、且つ平板状の第１の端部１２２を有する。ゴムフレームは、外フレーム内に配置される。導光板は、放熱シートとゴムフレームとの間に配置される。背板は、外フレーム内に配置され、且つ放熱シートの第１の端部と平行する平板状の第２の端部１６２を有する。光源は、放熱シートの第１の端部に配置され、放熱シートの第１の端部に垂直な基板１５２と発光ダイオード素子１５４とを有する。放熱シートの第１の端部、及び基板は側壁に近接する。放熱シート及び背板は光源と外フレームの側壁との間まで延びていないため、狭い枠の設計要求を達成できる。【選択図】図１
0003185128.tif 000002
【実用新案登録請求の範囲】
【請求項１】
側壁を含む外フレームと、
前記外フレーム内に配置され、且つ平板状の第１の端部を有する放熱シートと、
前記外フレーム内に配置されるゴムフレームと、
前記放熱シートと前記ゴムフレームとの間に配置される導光板と、
前記外フレーム内に配置され、且つ前記放熱シートの前記第１の端部と平行する平板状の第２の端部を有する背板と、
前記放熱シートの前記第１の端部に配置され、前記放熱シートの前記第１の端部に垂直な基板と発光ダイオード素子とを有する光源と、を含み、
前記放熱シートの前記第１の端部は前記側壁に近接し、前記基板は前記側壁に近接するバックライトモジュール。
【請求項２】
前記放熱シートの前記第１の端部は、前記光源と前記側壁との間まで延びていない請求項１に記載のバックライトモジュール。
【請求項３】
前記ゴムフレームは、前記光源と前記側壁との間まで延びていない請求項１に記載のバックライトモジュール。
【請求項４】
前記背板の前記第２の端部は、前記光源と前記側壁との間まで延びていない請求項１に記載のバックライトモジュール。
【請求項５】
前記基板は裏面を有し、前記放熱シートの前記第１の端部は前記裏面と平行する第１の側縁を有し、前記ゴムフレームは前記裏面と平行する第２の側縁を有し、前記裏面、前記第１の側縁及び前記第２の側縁は前記側壁に近接し、前記裏面と前記第１の側縁と前記第２の側縁とは実質上同一の平面にある請求項１に記載のバックライトモジュール。
【請求項６】
前記基板は、前記裏面に対して表面を有し、前記発光ダイオード素子は前記表面に設けられる請求項５に記載のバックライトモジュール。
【請求項７】
前記基板を前記放熱シートの前記第１の端部にはんだ付けする請求項１に記載のバックライトモジュール。
【請求項８】
前記外フレームは、
前記側壁の一端に接続されている前ブロック壁と、
前記側壁の他端に接続されている後ブロック壁と、をさらに含み、
前記前ブロック壁、前記側壁及び前記後ブロック壁はＣ字形の構造を構成し、前記Ｃ字形の構造は前記放熱シート、前記ゴムフレーム、前記導光板、前記光源及び前記背板を包んでいる請求項１に記載のバックライトモジュール。
【請求項９】
前記外フレームは一体成形の構造である請求項８に記載のバックライトモジュール。
【請求項１０】
前記放熱シートの前記第１の端部は前記後ブロック壁と平行し、前記背板の前記第２の端部は前記後ブロック壁と平行する請求項８に記載のバックライトモジュール。
【請求項１１】
前記放熱シートの前記第１の端部は、前記後ブロック壁に接触している請求項８に記載のバックライトモジュール。
【請求項１２】
前記背板は前記放熱シートと前記後ブロック壁との間に位置し、前記バックライトモジュールは前記後ブロック壁と前記背板を固着する少なくとも一つの固着手段を有する請求項９に記載のバックライトモジュール。
【請求項１３】
前記前ブロック壁と前記ゴムフレームとの間は、表示パネル及び光学フィルムセットを固定することに適合する請求項９に記載のバックライトモジュール。
【請求項１４】
前記光源は、前記ゴムフレームと放熱シートとの間に設けられる請求項１に記載のバックライトモジュール。
【考案の詳細な説明】
【技術分野】
【０００１】
本考案は、光学装置に関し、特にバックライトモジュールに関する。
【背景技術】
【０００２】
半導体産業及び相関電子産業の益々発展に伴い、携帯電話（mobile  phone）、デジタルカメラ（digital  camera）、デジタルビデオカメラ（digital  video  camera）、ノートブック（notebook）、デスクトップコンピュータ、薄型テレビ等のデジタル化ツールは全てより便利、多機能及び美観の方向に発展している。これらの製品を利用する際に、表示装置は不可欠な界面であり、上述した製品の表示装置により使用者の操作に対してより多い便利さをもたらすことが可能となる。そのうち、液晶表示装置はメインの表示装置となる。液晶表示装置そのものは発光の機能を有していないため、表示の機能を実現するように液晶表示装置の下方に光源を提供するためのバックライトモジュールを提供する必要がある。
【０００３】
液晶テレビを例とすると、バックライトモジュールは背板、ゴムフレーム及び放熱シートを利用して、光源及び導光板を固定し、表示パネルを支持しており、外フレームを利用して上述した構成要件を包む。従来の設計では、背板及び放熱シートは殆ど側壁（side  wall）を有する構造となるように設計され、背板の側壁及び放熱材の側壁は光源と外フレームの側壁との間に延びて、構造の厚さが増える。よって、外フレームは表示パネルの周囲において大きい幅を有するため、液晶テレビは狭い枠という設計要求を達成ことができなくなる。
【０００４】
特許文献１には、面実装技術（Surface  Mounted  Technology:  SMT）又は溶接などの方法で発光ダイオード（Light  Emitting  Diode:  LED）を金属板材に取り付けるバックライトモジュールが開示されている。特許文献２には、発光ダイオード素子を銅線路層の溶接点に溶接するバックライトモジュールが開示されている。特許文献３には、光源セットが絶縁熱伝導接着剤及びはんだにより枠フレームに貼り付けられるバックライトモジュールが開示されている。
【先行技術文献】
【特許文献】
【０００５】
【特許文献１】台湾実用新案第ＴＷＭ２８８３９５号明細書
【特許文献２】台湾実用新案第ＴＷＭ４２６０４４号明細書
【特許文献３】台湾実用新案第ＴＷＭ４１０８９４号明細書
【考案の概要】
【考案が解決しようとする課題】
【０００６】
本考案は、狭い枠の設計要求を達成することができるバックライトモジュールを提供することを目的とする。
【０００７】
なお、本考案の他の目的及びメリットは、本考案に開示されている手段から更に分かる。
【課題を解決するための手段】
【０００８】
上記本考案の目的の一つ、一部若しくは全部、又は他の目的を達成するため、本考案の一の実施例では、側壁を含む外フレームと、前記外フレーム内に配置され、且つ平板状の第１の端部を有する放熱シートと、前記外フレーム内に配置されるゴムフレームと、前記放熱シートと前記ゴムフレームとの間に配置される導光板と、前記外フレーム内に配置され、且つ前記放熱シートの前記第１の端部と平行する平板状の第２の端部を有する背板と、前記放熱シートの前記第１の端部に配置され、前記放熱シートの前記第１の端部に垂直な基板と発光ダイオード素子とを有する光源と、を含み、前記放熱シートの前記第１の端部は前記側壁に近接し、前記基板は前記側壁に近接するバックライトモジュールを提供する。
【０００９】
本考案の一の実施例に係るバックライトモジュールでは、前記放熱シートの前記第１の端部は、前記光源と前記側壁との間まで延びていない。
【００１０】
本考案の一の実施例に係るバックライトモジュールでは、前記ゴムフレームは、前記光源と前記側壁との間まで延びていない。
【００１１】
本考案の一の実施例に係るバックライトモジュールでは、前記背板の前記第２の端部は、前記光源と前記側壁との間まで延びていない。
【００１２】
本考案の一の実施例に係るバックライトモジュールでは、前記基板は裏面を有し、前記放熱シートの前記第１の端部は前記裏面と平行する第１の側縁を有し、前記ゴムフレームは前記裏面と平行する第２の側縁を有し、前記裏面、前記第１の側縁及び前記第２の側縁は前記側壁に近接し、前記裏面と前記第１の側縁と前記第２の側縁とは実質上同一の平面にある。
【００１３】
本考案の一の実施例に係るバックライトモジュールでは、前記基板は、前記裏面に対して表面を有し、前記発光ダイオード素子は前記表面に設けられる。
【００１４】
本考案の一の実施例に係るバックライトモジュールでは、前記基板を前記放熱シートの前記第１の端部に溶接する。
【００１５】
本考案の一の実施例に係るバックライトモジュールでは、前記外フレームは、前記側壁の一端に接続されている前ブロック壁と、前記側壁の他端に接続されている後ブロック壁と、をさらに含み、前記前ブロック壁、前記側壁及び前記後ブロック壁はＣ字形の構造を構成し、前記Ｃ字形の構造は前記放熱シート、前記ゴムフレーム、前記導光板、前記光源及び前記背板を包んでいる。
【００１６】
本考案の一の実施例に係るバックライトモジュールでは、前記外フレームは一体成形の構造である。
【００１７】
本考案の一の実施例に係るバックライトモジュールでは、前記放熱シートの前記第１の端部は前記後ブロック壁と平行し、前記背板の前記第２の端部は前記後ブロック壁と平行する。
【００１８】
本考案の一の実施例に係るバックライトモジュールでは、前記放熱シートの前記第１の端部は、前記後ブロック壁に接触している。
【００１９】
本考案の一の実施例に係るバックライトモジュールでは、前記背板は前記放熱シートと前記後ブロック壁との間に位置し、前記バックライトモジュールは前記後ブロック壁と前記背板を固着する少なくとも一つの固着部材を有する。
【００２０】
本考案の一の実施例に係るバックライトモジュールでは、前記前ブロック壁と前記ゴムフレームとの間は、表示パネル及び光学フィルムセットを固定することに適合する。
【００２１】
本考案の一の実施例に係るバックライトモジュールでは、前記光源は、前記ゴムフレームと放熱シートとの間に設けられる。
【考案の効果】
【００２２】
上述したように、本考案の各実施例は、光源が放熱シートの第１の端部に設けられ、且つ外フレームの側壁に近接し対向する。即ち、放熱シート及び背板は光源と外フレームの側壁との間まで延びていないため、光源と外フレームの側壁との間にはより小さい間隔を有して、構造の厚さを低減することができる。従って、バックライトモジュールは表示装置に適用される場合は、外フレームは表示パネルの周囲において小さい幅を有することができ、狭い枠の設計要求を達成することができる。
【図面の簡単な説明】
【００２３】
【図１】本考案の一の実施例に係るバックライトモジュールの局部を示す断面図。
【図２】図１のバックライトモジュール及び表示パネルの局部を示す断面図。
【図３】本考案の他の実施例に係るバックライトモジュールの局部を示す断面図。
【考案を実施するための形態】
【００２４】
本考案の上述した特徴及び優れた点をより明確に分かるように、図面を参照しながら、下記実施例に基づいて詳細に説明する。
【００２５】
上述した本考案に係る技術的内容、特徴及び効果は、以下の図面を参照しながら、好適な実施形態の詳細な説明に示されるように、明らかである。以下実施形態に言及される「上」、「下」、「左」、「右」、「前」、「後」等の方向の用語は、単なる図面を参照する際に、単なる方向を参考する説明用の用語であり、本考案は方向の用語に示されるものに限定されない。
【００２６】
図１は、本考案の一の実施例に係るバックライトモジュールの局部を示す断面図。図１に示すように、本実施例に係るバックライトモジュール１００は、外フレーム１１０、放熱シート１２０、ゴムフレーム１３０、導光板１４０、光源１５０及び背板１６０を含む。外フレーム１１０は、側壁１１２、前ブロック壁１１４及び後ブロック壁１１６を含む。放熱シート１２０は、外フレーム１１０内に配置され、且つ平板状の第１の端部１２２を有する。ゴムフレーム１３０は、外フレーム１１０内に配置される。導光板１４０は、放熱シート１２０とゴムフレーム１３０との間に配置される。背板１６０は、外フレーム１１０内に配置され、且つ放熱シート１２０の第１の端部１２２と平行する平板状の第２の端部１６２を有する。光源１５０は、例えば発光ダイオード（Light  emitting  Diode:  LED）光源であり、基板１５２と発光ダイオード素子１５４とを含む。基板１５２は、放熱シート１２０に配置され、且つ放熱シート１２０の第１の端部１２２に位置する。基板１５２は、例えば回路板（print  circuit  board:  PCB）、メタルコア回路板（metal-core  printed  circuit  board:  MCPCB）又はその他の金属板である。基板１５２は、放熱シート１２０の第１の端部１２２に垂直する。放熱シート１２０の第１の端部１２２は外フレーム１１０の側壁１１２に近接するため、光源１５０も側壁１１２に近接する、即ち放熱シート１５０の第１の端部１２０に配置される基板１５２は外フレーム１１０の側壁１１２に近接する。本考案では、基板１５２は側壁１１２に近接することとは、基板１５２と側壁１１２とは直接に当接してもよく、基板１５２と側壁１１２との間にはその他の部材を有することない、基板１５２と側壁１１２との間には小さな隙間を有してもよい、或いは基板１５２と側壁１１２との間にはその他の部材（図示せず）、例えばフレキシブル回路板（例えば図２の液晶表示パネル５０を制御するフレキシブル回路板）などを有してもよく、本考案はここに例示されるものに限定されない。
【００２７】
図２は、図１のバックライトモジュール及び表示パネルの局部を示す断面図である。図２に示すように、液晶表示パネル５０及び光学フィルムセット６０はバックライト１００に組み立てられて、液晶表示装置（Liquid  Crystal  Display:  LCD）を構成する。具体的には、表示パネル５０及び光学フィルムセット６０は、外フレーム１１０の前ブロック壁１１４とゴムフレーム１３０との間に固定され、バックライトモジュール１００の光源１５０は光線を発することができ、光線が導光板１４０の側面１４２から導光板１４０に入って、導光板１４０の出光面１４４から光学フィルムセット６０及び表示パネル５０へ出射して、表示パネル５０が画面を表示する時に必要な光線を提供する。上述した液晶表示装置は例えば液晶テレビ又は他種の装置であってもよく、本考案はここに例示されるものに限定されない。
【００２８】
従来のバックライトモジュールの設計では、放熱シート及び背板は殆ど側壁を有する構造であり、放熱シートの側壁及び背板の側壁は光源と外フレームの側壁との間まで延びているため、光源は外フレームの側壁に直接に隣接することなく、光源と外フレームの側壁との間には、放熱シートの側壁及び背板の側壁を収納するための十分に大きな間隔が必要である。
【００２９】
本実施例では、放熱シート１２０及び背板１６０の一端は共に平板状の構造である、即ち放熱シート１２０の第１の端部１２２は曲げられない平板状の構造であり、背板１６０の第２の端部１６２は曲げられない平板状の構造である。放熱シート１２０の第１の端部１２２及び背板１６０の第２の端部１６２は、光源１５０と側壁１１２との間まで延びていない。放熱シート１２０の第１の端部１２２に配置される光源１５０は外フレーム１１０の側壁１１２に近接しているため、光源１５０と側壁１１２との間にはより小さい間隔を有して、構造の幅を低減することができる。本実施例では、放熱シート１２０の第１の端部１２２は例えば後ブロック壁１１６と平行し、背板１６０の第２の端部１６２は例えば後ブロック壁１１６と平行する。本実施例では、ゴムフレーム１３０は、光源１５０と側壁１１２との間まで延びなくてもよい。このため、光源１５０と側壁１１２との間隔をさらに小さくすることができ、構造の幅を低減することができる。即ち、本実施例に係る放熱シート１２０、ゴムフレーム１３０及び背板１６０は全て光源１５０と側壁１１２との間まで延びていない。従って、バックライトモジュール１００が図２に示すように表示装置に適用された場合は、前ブロック壁１１４は小さい幅Ｗさえ有すれば、表示パネル５０の周囲領域を遮蔽することができ、外フレーム１１０は表示パネル５０の周囲において小さい幅を有し、狭い枠の設計要求を達成することができる。他の図示しない実施例では、光源がバックライトモジュールにおける対向する両側に設けられてもよく、その他の対向する両側には光源が設けられないため、放熱シート及び背板は光源を有する両側において共に曲げられない平板状の構造となり、狭い枠の効果を達成することができ、その他の光源を有しない両側において曲げられる側壁構造を有することができ、バックライトモジュールを固定することができる。光源を有しない両側は光源の厚さが少なくなるため、狭い枠の効果を達成することができる。
【００３０】
本実施例に係る光源１５０の基板１５２は、例えば溶接（はんだ付け）の方式で放熱シート１２０に固定され、光源１５０の基板１５２はゴムフレーム１３０と放熱シート１２０との間に設けられることで、光源１５０はしっかり固定又は制限されている。他の実施例では、放熱シート１２０と基板１５２とをソルダペーストで接続してもよく、或いは基板１５２と放熱シート１５０とは一体成形の構造であり、本考案はここに例示されるものに限定されない。
【００３１】
本実施例では、光源１５０の基板１５２は裏面１５２ａ及び裏面１５２ａに対向する表面１５２ｂを有し、発光ダイオード素子１５４は表面１５２ｂに設けられる。放熱シート１２０の第１の端部１２２は裏面１５２ａと平行する第１の側縁１２２ａを有し、ゴムフレーム１３０は裏面１５２ａと平行する第２の側縁１３０ａを有し、基板１５２の裏面１５２ａ、放熱シート１２０の第１の側縁１２２ａ及びゴムフレーム１３０の第２の側縁１３０ａは、実質上同一の平面にあり、且つ外フレーム１１０の側壁１１２に直接に対向し近接している。他の実施例では、背面１５２ａ、第１の側縁１２２ａ及び第２の側縁１３０ａは同一の平面にないように構成されてもよく、本考案はここに例示されるものに限定されない。
【００３２】
本実施例では、外フレームの前ブロック壁１１４、側壁１１２及び後ブロック壁１１６は、例えば一体成形の構造である。具体的には、前ブロック壁１１４は側壁１１２の一端に接続され、後ブロック壁１１６は側壁１１２の他端に接続されている。前ブロック壁１１４、側壁１１２及び後ブロック壁１１６は、Ｃ字形の構造を構成し、Ｃ字形の構造は放熱シート１２０、ゴムフレーム１３０、導光板１４０、光源１５０、背板１６０、表示パネル５０及び光学フィルムセット６０を包んでいる。外フレーム１１０は、複数の構成要件を組み合わせて構成されるものではなく、一体成形のＣ字形構造であるため、外フレーム１１０の側壁１１２に余計な固定構造又は係止構造を設ける必要がなく、外フレームのサイズを効果的に限縮することができ、狭い枠の設計要求を容易に達成することができる。
【００３３】
本実施例に係るバックライトモジュール１００は固着部材１７０をさらに含む。背板１６０は放熱シート１２０と外フレーム１１０の後ブロック壁１１６との間に位置する。放熱シート１２０は背板１６０に接触することで、光源１５０により生じた熱が放熱シート１２０を介して背板１６０に伝達され、放熱が行われる。固着部材１７０は、後ブロック壁１１６と背板１６０を固着する。外フレーム１１０は、その側壁１１２及び背板１６０でなく、後ブロック壁１１６及び背板１６０により固着されるため、側壁１１２の厚さが固着穴及び固着部材の設置により増加することを回避することができ、狭い枠の設計要求を達成することができる。
【００３４】
図３は、本考案の一の実施例に係るバックライトモジュールの局部を示す断面図。図３に示すように、本実施例に係るバックライトモジュール１００ａは図１のバックライトモジュール１００と類似し、両者の差異は以下の通りである。本実施例では、図３の放熱シート１２０’は図２の放熱シート１２０の真中の曲げられる構造を有しないが、背板１６０’の第２の端部１６２’も放熱シート１２０’の第１の端部１２２’と平行するため、バックライトモジュール１００ａ全体の厚さをさらに低減することができる。放熱シート１２０’の第１の端部１２２’は曲げられる構造を有せず、背板１６０’の第２の端部１６２’は曲げられる構造を有せず、且つ放熱シート１２０’及び背板１６０’は光源１５０’と側壁１１２’との間まで延びていないため、構造の幅を低減することができる。また、ゴムフレーム１３０’は側壁１３１を有してもよく、側壁１３１は光源１５０’と側壁１１２’との間まで延びて、外フレーム１１０’の前ブロック壁１１４’の幅Ｗ’は少し増加しても狭い枠の要求を達成することができ、側壁１３１はバックライトモジュール１００ａを容易に固定することができ、バックライトモジュール１００ａの安定性を増加することができる。図２と同じように、本実施例に係るバックライトモジュール１００ａは固着部材１７０’をさらに含んでもよく、固着部材１７０’は後ブロック壁１１６’及び背板１６０’を固着する。
【００３５】
以上のことから、本考案の上記実施例は、光源が放熱シートの第１の端部に設けられ、且つ外フレームの側壁に近接する。即ち、放熱シート及び背板は光源と外フレームの側壁との間まで延びていないため、光源と外フレームの側壁との間には小さい間隔を有して、構造の厚さを低減することができる。従って、バックライトモジュールは表示装置に適用される場合は、外フレームの前ブロック壁が小さい幅を有しても表示パネルの周辺領域を遮蔽することができ、外フレームは表示パネルの周囲において小さい幅を有することができ、狭い枠の設計要求を達成することができる。
【００３６】
上記の説明は、本考案の好適な実施例に過ぎず、本考案の実施の範囲がこれらに限定されず、本考案の実用新案登録請求の範囲及び明細書の内容に基づいて、当業者によって何れの変更及び修飾が可能であり、本考案の保護範囲は実用新案登録請求の範囲を基準とする。また、本考案の実施例又は実用新案登録請求の範囲は何れも本考案により開示された目的又は利点又は特徴の全てを必ずしも実現する必要はない。また、要約部分と考案の名称は単に特許文献のサーチ作業を補助するためのものであり、本考案の権利範囲を限定するものではない。本明細書又は実用新案登録請求の範囲における「第１の」、「第２の」等の用語は単なる部材（ｅｌｅｍｅｎｔ）の名称を命名する或いは異なる実施例又は範囲を区別するためのものであり、部材の数の上限又は下限を限定するものではない。
【符号の説明】
【００３７】
５０      表示パネル
６０      光学フィルムセット
１００、１００ａ  バックライトモジュール
１１０、１１０’  外フレーム
１１２、１１２’  側壁
１１４、１１４’  前ブロック壁
１１６、１１６’  後ブロック壁
１２０、１２０’  放熱シート
１２２、１２２’  第１の端部
１２２ａ  第１の側縁
１３０、１３０’  ゴムフレーム
１３０ａ  第２の側縁
１３１    側壁
１４０    導光板
１４２    側面
１４４    出光面
１５０、１５０’  光源
１５２    基板
１５２ａ  裏面
１５２ｂ  表面
１５４    発光ダイオード素子
１６０、１６０’  背板
１６２、１６２’  第２の端部
１７０、１７０’  固着部材
Ｗ、Ｗ’  幅
【図１】
0003185128.tif 000003
【図２】
0003185128.tif 000004
【図３】
0003185128.tif 000005